(57)【特許請求の範囲】
【請求項１】
走行機体に、エンジンと、該エンジンの駆動用燃料を貯留する燃料タンクと、収穫された穀粒の一時貯留を行うグレンタンクと、該グレンタンクの後方に配置された前記燃料タンクの給油口と、該グレンタンク内の穀粒を機外に排出する排出オーガのオーガ縦パイプの側方を開閉可能に覆う開閉カバーと、を配設したコンバインにおいて、
前記走行機体の前記燃料タンクの給油口に隣接する部位に固定して配置された支持部材と、
軸状の支持部と燃料容器を載置し得る載置部とを有する燃料容器置き台と、を備え、
前記支持部を前記支持部材に軸線方向に移動自在にかつ軸線を中心に回動自在に支持し、
前記燃料容器置き台を前記軸線方向に引込めた収納位置にあっては、前記載置部が上下方向に向くように保持されると共に、前記開閉カバー内で前記オーガ縦パイプと前記給油口との間に前記燃料容器置き台が収納され、前記燃料容器置き台を前記軸線方向に引き出した載置位置にあっては、前記載置部が水平方向に向くように位置決めされると共に、前記開閉カバーを開いて前記燃料容器置き台が前記走行機体の側方に引き出されてなる、
ことを特徴とするコンバイン。
【請求項２】
前記載置部が、前記燃料容器置き台を移動操作するためのグリップを兼用してなる、
請求項１記載のコンバイン。
【請求項３】
前記支持部に設けた突起と、前記支持部材に設けた受け部とにより、前記載置位置において前記載置部が水平状態に位置決めされる当接部を構成してなる、
請求項１又は２記載のコンバイン。
【発明の詳細な説明】
【技術分野】
【０００１】
本発明は、コンバイン等の移動農機に係り、詳しくは駆動源たるエンジンの燃料を貯留する燃料タンクヘの燃料補給構造に関する。
【背景技術】
【０００２】
一般に、移動農機の一つであるコンバインでは、前処理搬送部や脱穀選別部及び走行部等、各駆動部の動力源としてのエンジンを備え、該エンジンを駆動する燃料を貯留するための燃料タンクを備えているが、前記燃料タンクへの給油構造としては、種々の形態のものが存在している。
【０００３】
そして、その一例として、前記燃料タンクへの給油口を、機体後部に設けた排稈処理部と収穫された穀粒貯留用のグレンタンクとの間に設け、燃料容器の載置台を起伏自在として、前記給油口の下方で、機体後方に突出する燃料供給作業姿勢と、上方に向けて回動退避する格納姿勢とに切替え固定自在とした構造のものが知られている。（特許文献１参照）。
【０００４】
前記特許文献１に記載のコンバインで燃料補給を行う場合には、格納姿勢のタンク載せ台の係合を外して後方へ突出する姿勢に切替え、該タンク載せ台上に燃料容器を載置して燃料補給を行うが、この場合には、燃料容器を給油口に接近できるので、燃料補給作業が楽になるものである。
【０００５】
【特許文献１】特開平１１−２４３７５３号公報
【発明の開示】
【発明が解決しようとする課題】
【０００６】
しかしながら、前記特許文献１に記載の技術は、タンク載せ台が、機台１の後方の側方寄りで、機体前方側への格納姿勢と燃料補給作業時の機体後方へ突出する姿勢とに切替え自在となっているので、タンク載せ台を格納姿勢にしても、作業時の機体振動等で不用意に係合が外れて機体より突出する姿勢になる場合も考えられ、また、前記タンク載せ台がそのまま外部に露出した状態となっていることから外観を損なうとの課題があった。
【０００７】
そこで、本発明は、上記従来のこれらの課題を解消し、簡単な構成の燃料容器置き台であり乍ら、単純な出し入れ操作をする丈で、燃料補給作業時には確実に燃料容器置き台としての役目を果たし、外観を損ねることもないコンバインを提供することを目的とするものである。
【課題を解決するための手段】
【０００８】
請求項１に係る本発明は、走行機体（１）に、エンジン（８）と、該エンジン（８）の駆動用燃料を貯留する燃料タンク（１５）と、収穫された穀粒の一時貯留を行うグレンタンク（６）と、該グレンタンク（６）の後方に配置された前記燃料タンク（１５）の給油口（９）と、該グレンタンク（６）内の穀粒を機外に排出する排出オーガ（１１）のオーガ縦パイプ（１０）の側方を開閉可能に覆う開閉カバー（１２）と、を配設したコンバインにおいて、
前記走行機体（１）の前記燃料タンク（１５）の給油口（９）に隣接する部位に固定して配置された支持部材（１７）と、
軸状の支持部（２０）と燃料容器（２２）を載置し得る載置部（２３）とを有する燃料容器置き台（１８）と、を備え、
前記支持部（２０）を前記支持部材（１７）に軸線方向に移動自在にかつ軸線を中心に回動自在に支持し、
前記燃料容器置き台（１８）を前記軸線方向に引込めた収納位置にあっては、前記載置部（２３）が上下方向に向くように保持されると共に、前記開閉カバー（１２）内で前記オーガ縦パイプ（１０）と前記給油口（９）との間に前記燃料容器置き台（１８）が収納され、前記燃料容器置き台（１８）を前記軸線方向に引き出した載置位置にあっては、前記載置部（２３）が水平方向に向くように位置決めされると共に、前記開閉カバー（１２）を開いて前記燃料容器置き台（１８）が前記走行機体（１）の側方に引き出されてなる、
ことを第１の特徴とするコンバインにある。
【０００９】
また、請求項２に係る本発明は、前記載置部（２３）が、前記燃料容器置き台（１８）を移動操作するためのグリップを兼用してなる、
ことを第２の特徴とするコンバインにある。
【００１０】
更に、請求項３に係る本発明は、前記支持部（２０）に設けた突起（２１，２９）と、前記支持部材（１７）に設けた受け部（１７ａ，１７ｃ）とにより、前記載置位置において前記載置部（２３）が水平状態に位置決めされる当接部（２７）を構成してなる、
ことを第３の特徴とするコンバインにある。
【００１１】
なお、上記カッコ内の符号は、図面と対照するためのものであるが、これにより特許請求の範囲に何等影響を及ぼすものではない。
【発明の効果】
【００１２】
請求項１に係る本発明によると、移動農機である走行機体の燃料タンクの給油口に隣接する部位に支持部材を固定し、軸状の支持部と燃料容器載置部を有する燃料容器置き台を備え、前記支持部を前記支持部材に対して軸線方向に移動自在且つ軸線を中心に回動支持し、前記燃料容器置き台を収納位置では、載置部が上下方向に向くように保持すると共に、引出した際は載置部が水平方向に向くように位置決めしたので、燃料容器置き台の構成がより簡単でシンプルなものであり乍ら、前記燃料容器置き台を収納状態とした際には、何ら邪魔とならず、単純な引出し操作をする丈で、燃料補充作業が円滑に行える。
【００１３】
しかも、前記燃料容器置き台は、簡単な軸状部材が主体で構成されているので、給油口に隣接しておれば別の設置場所でもよく、また、その側方側が開閉カバーで覆われているので、収納状態での外観を損なうようなこともない。
【００１４】
また、請求項２に係る本発明によると、燃料容器置き台の載置部が、これを移動操作するためのグリップを兼用しているので、前記置き台の収納や燃料容器載置位置へのセット時の操作を行うためのグリップをわざわざ装着するような必要がない。
【００１５】
更に、請求項３に係る本発明によると、燃料容器置き台の支持部に設けた突起と、支持部材に設けた受け部とにより、燃料容器置き台の載置位置において、載置部が水平状態に位置決めされる当接部を構成してなるので、前記燃料容器置き台の燃料容器を載置する状態の載置位置へのセット時には載置部が当接部で確実に位置決めされた状態で水平状態を維持し、燃料補給作業が安定した状態で行える。
【発明を実施するための最良の形態】
【００１６】
以下図面に沿って、本発明に係る移動農機を適用したコンバインの好ましい実施の形態について説明する。
【００１７】
先ず、図１はコンバインの全体側面図である。即ち、１はコンバインの走行機体であって、該走行機体１は、通常のコンバインと同様に、下部に備えた左右一対の走行部２，２に支持された機体フレーム３を設け、その上部に、前方より順に、穀稈の刈取りや搬送を行う前処理搬送部４，機体の走行や各作業部の操縦操作を行う操縦部５，収穫された穀粒の一時貯留を行うグレンタンク６，脱穀後の排稈処理を行う排稈処理部７等が備えられている。
【００１８】
そして、走行機体１の各駆動部を駆動する駆動源としてのエンジン８は、前記操縦部５の運転席５ａ下方に、また、燃料の給油口９は、前記グレンタンク６の後方で、前記排稈処理部７の側方に設けられ、その上端にはキャップ９ａが取付けられている。
【００１９】
ここで、符号１０は、前記グレンタンク６内の穀粒を機外に排出する排出オーガ１１のオーガ縦パイプであり、１２は、前記グレンタンク６の側方に連続して設けられた開閉カバーで、前記オーガ縦パイプ１０の下部側を側方より覆っており、該開閉カバー１２には、これを開閉する際に手を掛けるためのロックハンドル１３が走行機体１の後方側の中途部に設けられている。
【００２０】
更に、前記開閉カバー１２の下方には、前記グレンタンク６の下部側も一体的に覆う横長のタンク下カバー１２ａが設けられ、これにもロックハンドル１３，１３が備えられている。
【００２１】
次に、図２は同上コンバインの全体平面図であって、前記操縦部５とこれに続くグレンタンク６の反対側に、穀稈の脱穀や選別を行う脱穀選別部１４が備えられ、その後部は前記排稈処理部７に連設される。
【００２２】
また、前記グレンタンク６の後部には、前記エンジン８への燃料を収納する燃料タンク１５が備えられ、前記給油口９との間は給油パイプ１６で連結されている。
【００２３】
ここで、前記燃料タンク１５は、前記排稈処理部７の下方等のスペースに設けてもよく、また、前記給油口９も隣接する排稈処理部７側で、前記燃料タンク１５より高い位置に設けてもよく、要は、両者を給油パイプ１６で連結しておけばよい。
【００２４】
更に、図３は要部の後方斜視図であって、前記開閉カバー１２を開放した状態を示す。即ち、前記開閉カバー１２は、上下方向のカバー回動軸１２ｂを支点として、図の如く開放可能となっており、前記給油口９に隣接する部位には後述する支持部材１７が固設され、該支持部材１７に支持された燃料容器置き台１８が設けられている。
【００２５】
そして、これら支持部材１７並びに燃料容器置き台１８等の位置関係や構成作用については、図４乃至５で詳述する。
【００２６】
またここで、符号１１ａは、前記排出オーガ１１の穀粒排出位置を任意に変更させるためのオーガモータであり、符号１３ａは、前記機体フレーム３に下部側を固定し、上部側を前記オーガ縦パイプ１０の中途部を支持する強固な取付ステー２４に設けられたロックハンドル係止部で、前記開閉カバー１２を閉じた時、前記ロックハンドル１３を係止する役目を果たすものであり、符号１５ａは、前記燃料タンク１５の上方に取付けたブリーザパイプを示す。
【００２７】
更に、前記取付ステー２４は、前記排稈処理部７に藁切断用のカッタを装着した時、上下のカッタ支持軸２４ａ，２４ａでその側方側を支持して、前記カッタ内に詰まりが生じたり掃除や整備・点検等の際に後方へ回動して、この部分を開放出来るようになっている。
【００２８】
次に、図４は要部の拡大斜視図であって、前記支持部材１７は上方から見ると、コ字型形状を呈していてその下部側が、前記取付ステー２４に固着されたモータを載置する基盤としてのモータベース（機体フレーム３と一体となってその一部となる）１９上に溶着されているが、その奥側の一部が折曲されて受け部１７ａを構成しており、かつ、下方の両孔部１７ｂ，１７ｂを前記燃料容器置き台１８のパイプ状の支持部２０が図面の矢印Ａ−Ｂ方向に摺動自在となるように遊挿されている。
【００２９】
そして、前記燃料容器置き台１８は前記支持部２０の先端側に、該支持部２０の左右両側に突出するストッパピンからなる突起２１を設けており、その反対側である基端側は燃料容器２２（図５参照）を載置し得るように略円形状に折り曲げられて載置部２３を構成しており、該燃料容器置き台１８を使用しない状態の時には、前記載置部２３の一部が前記取付ステー２４に固着の取付具２４ｂを介して装着された止め具としてのクランプ２５で前記載置部２３が上下方向に向いた姿勢で保持されるようになっている。ここで、２６は、前記オーガ縦パイプ１０の通過する孔を示す。
【００３０】
また、図５は要部の作用説明図であって、図４の姿勢に収納されていた燃料容器置き台１８を図４の矢印Ｃ方向に回動させて、載置部２３をクランプ２５の係止から外し、次いで矢印Ａ方向に引出して支持部２０先端に設けた突起２１が前記モータベース１９の端部１９ａに当接する前に図５の矢印Ｅ方向に回動して、前記突起２１が支持部材１７の奥側側壁１７ｃに当接する迄手前に引出せば、前記燃料容器置き台１８は載置部２３が水平方向に向いて燃料容器２２の載置位置となる。
【００３１】
この時、支持部２０先端の突起２１の片側が前記支持部材１７の受け部１７ａに当接して、当接部２７を形成し、載置部２３に燃料容器２２の重量をかけてもそれ以上回動しない水平姿勢を保つものである。
【００３２】
そして、本発明の燃料容器置き台１８は、簡単な軸状部材が主体で構成されており、しかも、その側方側が開閉カバー１２で覆われていることと相俟って、収納状態での外観を何ら損なうようなことはない。
【００３３】
次に、本発明の第２実施例について、図６の要部の拡大斜視図及び図７の要部の作用説明図を基に説明する。
【００３４】
この例のものも、大部分の構成は、第１実施例と同様であるが、燃料容器置き台１８の収納状態で、載置部２３が上下方向に保持される時の止め具としてのクランプ２８の位置が、その開口部を走行機体１の側方側に向けている点、支持部２０の先端のストッパピンよりなる突起２９が燃料容器置き台１８の載置部２３起立側にのみ突出して構成されている点、及び受け部１７ａの反対側に右回動ストッパ１７ｄを備えている点で異なっている。
【００３５】
従って、この例によれば、載置部２３を矢印Ａ（矢印Ｇ）方向に引出し、前記載置部２３をクランプ２８の係止から外し、支持部２０先端の突起２９が支持部材１７の奥側側壁１７ｃに当接する迄引出し、次いで、図７の矢印Ｅ方向に回動させれば、燃料容器置き台１８はその載置部２３が水平方向に向いて、燃料容器２２の載置状態となり、この時、前記支持部２０先端の突起２９が前記支持部材１７の受け部１７ａに当接して当接部２７を形成し、それ以上回動しない水平姿勢を保つものである。
【００３６】
なお、前記実施例１，２においては、支持部材１７を前記モータベース１９に装着した場合で説明したが、支持部材１７及び燃料置き台１８は小型且つ簡単な構成のものであるので、必ずしもこれに限定されず、給油口９に隣接した他の位置に設置してもよい。
【００３７】
次に、本発明の作用について説明するに、以上の構成のもので、先ず、刈取収穫作業着手前の機体点検時、及びオペレータがエンジン８を始動して走行機体１の各駆動部を駆動させて、刈取収穫作業を行っている内に、燃料の補給が必要となってくる。
【００３８】
その際には、エンジン８を止めた状態で、先ず、開閉カバー１２を開けて、すぐ近くにある燃料容器置き台１８の略円形状をした載置部２３を握り、図４の矢印Ｃ方向に回動し、該載置部２３とクランプ２５との係止を外し、次いで、これを矢印Ａ方向である手前に引いて、突起２１がモータベース１９の端部１９ａに当接する前に図５の矢印Ｅ方向に回動して、支持部２０先端の突起２１が支持部材１７の奥側側壁１７ｃに当接する迄引き出すと前記突起２１の片側が受け部１７ａに当接した状態で当接部２７を形成し、燃料容器置き台１８が水平状態に位置決めされる。
【００３９】
そこで、図５に図示の如く、載置部２３上に燃料容器２２を載置すると共に前記給油口９のキャップ９ａを外して、燃料容器２２内の燃料を図示しない別途のポンプを使用して、前記給油口９より補給する。
【００４０】
そして、給油が完了したならば、再びキャップ９ａを装着すると共に、燃料容器２２を燃料容器置き台１８から降ろす。
【００４１】
次いで、前記載置部２３を再び握って矢印Ｂ方向に押込んで、突起２１が載置部２３を回動しても前記モータベース１９に当たらなくなった位置で、図５の矢印Ｆ方向に回動してから、更に矢印Ｂ方向に押込んで、図４の矢印Ｄ方向に回動すれば、載置部２３はクランプ２５に嵌入して係止される。
【００４２】
そして、その状態で開いていた開閉カバー１２を元の状態に閉めてから、作業を再開すれば良い。
【００４３】
また、実施例２においては、燃料容器置き台１８の載置部２３を握って、矢印Ａ方向（Ｇ方向）に引出して、載置部２３の先端側をクランプ２８の係止から外し、更に、突起２９が支持部材１７の奥側側壁１７ｃに当接する迄引出して図７の矢印Ｅ方向に回動させれば、突起２９が受部１７ａに当接して当接部２７を形成し、図７の状態に係止されるので、水平状態にセットされた載置部２３上に、燃料容器２２を載置して燃料補給を行えば良い。
【００４４】
そして、燃料容器置き台１８を収納させる時は、これと逆に載置部２３を握って、矢印Ｆ方向に回動して載置部２３が起立した状態で、矢印Ｂ方向（Ｈ方向）に押し込んで、載置部２３の先端がクランプ２８に係止される状態とすれば良い。
【００４５】
従って、本発明によれば、殊に、燃料タンク１５の給油口９に隣接する部位に支持部材１７を固定し、軸状の支持部２０と燃料容器載置部２３を有する燃料容器置き台１８を備え、前記支持部２０を前記支持部材１７に対して軸線方向に移動自在且つ軸線を中心に回動支持し、燃料容器置き台１８を収納位置で、載置部２０が上下方向に向くように保持すると共に、引出した際は、載置部２０が水平方向に向くように位置決めしたので、燃料容器置き台１８の構成が簡単になると共に、燃料容器置き台１８の収納状態では何ら邪魔となるような事がなく、単純な引出し操作をする丈で燃料補給姿勢と成し、燃料補給が円滑に行える。
【００４６】
また、本発明の燃料容器置き台１８は、簡単な軸状部材が主体で構成されるので、給油口９に隣接した別の設置場所にしてもよいし、これの収納状態での外観を損なうようなこともない。
【００４７】
更に、燃料容器置き台１８の載置部２０が、これを移動操作するためのグリップを兼用しているので、前記置き台２０の収納時や燃料容器載置位置へのセット時の操作を行うためのグリップをわざわざ装着する必要がなくなる。
【００４８】
更にまた、燃料容器置き台１８の支持部２０に設けた突起２１（２９）と、支持部材１７に設けた受け部１７ａとにより、燃料容器置き台１８の載置位置において、載置部２３が水平状態に位置決めされる当接部２７を構成したので、前記燃料容器置き台１８の燃料容器２２を載置する状態の載置位置へのセット時には載置部２３が当接部２７で確実に位置決めされた状態で水平状態を維持し、燃料補給作業が安定した状態で行える。
【図面の簡単な説明】
【００４９】
【図１】コンバインの全体側面図。
【図２】同上平面図。
【図３】要部の後方斜視図。
【図４】同上拡大斜視図。
【図５】要部の作用説明図。
【図６】一部変更した実施の形態による要部の拡大斜視図。
【図７】その要部の作用説明図。
【符号の説明】
【００５０】
１  走行機体
８  エンジン
９  給油口
１２  開閉カバー
１５  燃料タンク
１７  支持部材
１８  燃料容器置き台
２０  支持部
２１，２９  突起
２２  燃料容器
２３  載置部
２５，２８  クランプ
２７  当接部
【図１】
0004785593.tif 000002
【図２】
0004785593.tif 000003
【図３】
0004785593.tif 000004
【図４】
0004785593.tif 000005
【図５】
0004785593.tif 000006
【図６】
0004785593.tif 000007
【図７】
0004785593.tif 000008